Podtech/llm-jp-corpus-v4-ja_patent huggingface dataset:
(57)【要約】      （修正有）【課題】室内のケージで動物を快適に飼育するために、ケージ内に快適な温湿度の空気を給気し、臭気を屋外に排気し、屋外の太陽光を採光するケージを提供する。【解決手段】室内からケージ内に給気し、ケージ内から屋外に排気する給排気設備を持たせる。窓枠にケージを設置し屋外の太陽光を採光できる構造とする。【選択図】図２
2020174653.tif 000002
【特許請求の範囲】
【請求項１】
室内の空気をケージ内に給気し、ケージ内から屋外に排気する給排気設備を有するペットケージ。
【請求項２】
窓枠に設置し屋外の太陽光を採光できる構造を有するペットケージ。
【発明の詳細な説明】
【技術分野】
【０００１】本発明は室内で動物を飼育するためのケージである。
【発明の概要】
【発明が解決しようとする課題】
【０００２】従来型のペットケージには主に以下３点の問題点がある。【０００３】１．温湿度管理の問題
動物はその種類や個体によって飼育に適した温湿度が異なる。
そのためケージ内を空調（冷房、暖房、加湿、除湿）する必要がある。
しかしケージそのものが外界と遮断するものであるため、空調した空気をケージ内に供給しにくい。【０００４】２．臭気の問題
動物は身体や排泄物から悪臭を放つものである。
ケージ内にだけでなくケージを設置する飼育部屋や建屋全体に臭気が滞留し、飼育する人、建屋を利用する他の人のストレスとなる。【０００５】３．採光の問題
動物（特に爬虫類）には健康の維持のために紫外線を必要とする種類がある。
日中に屋外に出して日光浴をさせたり、紫外線を発生させる照明を長時間照射する必要があり、手間や光熱費がかかる。
【課題を解決するための手段】
【０００６】下記のいずれか、または両方の構造を採用したケージとする。
室内からケージ内に給気し、ケージ内から屋外に排気する給排気設備を有する。窓枠にケージを固定し屋外の太陽光を採光できる構造とする。
【発明の効果】
【０００７】１．空調の問題（解決）
給排気設備で空気の流れ方向を設定することで、室内の空調した空気を給気できる。（室内の空気をケージ内に直接給気するか、ケージ上流のチャンバーボックスで空調する。）【０００８】２．臭気の問題（解決）
給排気設備で空気の流れ方向を設定することで、汚れた空気を屋外に排気できる。室内もケージ内も雰囲気が改善する。【０００９】３．採光の問題（解決）
窓枠の屋外側の壁の窓か天井またはその両方を透明な材質で作ることで、自然太陽光を取り入れることができる。
【図面の簡単な説明】
【００１０】
【図１】従来型のペットケージの概要図である。
【図２】給排気設備を有するペットケージの概要図である。
【図３】窓枠に設置し採光でき、換気設備と空調設備（チャンバーボックス）を有するペットケージの概要図である。
【図１】
2020174653.tif 000003
【図２】
2020174653.tif 000004
【図３】
2020174653.tif 000005
(57)【要約】【課題】丸ノコ、テーブルソー等の円盤状のブレードを有する回転式工具において、キックバックを防止、又は低減し、作業時の負傷を最大限に防ぐための鋸刃ガードを提供する。【解決手段】円盤状のブレードの周囲を、ブレードと同軸、かつ、独立に回転する鋸刃ガード（図１の２）において、鋸刃ガード前面先端の形状を工夫し、ブレードと同程度の厚みを持つひれ状の板（図１の１）を設置することにより、ブレードを最大限に保護しつつキックバックを防止、又は飛躍的に低減する。【選択図】図１
2020131307.tif 000002
【特許請求の範囲】
【請求項１】
回転式工具の鋸刃ガードであって、前面先端に、ブレードに沿ってひれ状又は板状の突起を配していることを特徴とする鋸刃ガード。
【発明の詳細な説明】
【技術分野】
【０００１】
本発明は、丸ノコ、テーブルソー等、円盤状のブレードを持つ回転式工具において、切断時のキックバックを低減、又は、防止する機構を持つ鋸刃ガードに関するものである。
【背景技術】
【０００２】
本出願の提案に係る電動丸ノコ（特許文献１）、又は、テーブルソー（特許文献２）が公知のものである。公知のテーブルソーにおいては、ブレード後方にライビングナイフ（特許文献３）等を固定することによりキックバックを防止する技術が公知である。
【０００３】
しかし、ライビングナイフを伴ったテーブルソーにおいては、ライビングナイフと鋸刃ガードとの併用が難しい。特許文献３では、後方に配したライビングナイフ先端に部分的な鋸刃ガードを取り付けている。この場合、ブレードへのガードが限定的となり、安全性が低い。また、ライビングナイフ先端に取り付けた鋸刃ガードが障害となり、切断深度が制限されるという副次的な課題も発生している。
【先行技術文献】
【特許文献】
【０００４】
【特許文献１】US5010651A
【特許文献２】EP1985424A3
【特許文献３】US7621204B2
【発明の概要】
【発明が解決しようとする課題】
【０００５】
公知の丸ノコ、又は、テーブルソー等、円盤状のブレードを持つ回転式工具においては、切断時のキックバックにより作業者が負傷する危険性がある。
【０００６】
本発明は、丸ノコ、テーブルソー等、円盤状のブレードを用いる回転式工具において、鋸刃ガードの形状を工夫することによって、切断時のキックバックを大幅に減少、又は、防止することを目的とする。
【０００７】
同様の目的を持つものとして、テーブルソーにおけるライビングナイフ、又は、スプリッターがあるが、これらはブレードの後方に固定するものであり、その性質上、鋸刃ガードとの共用が難しかった。そのため、作業者の負傷が多発している。
【０００８】
本発明の目的は、鋸刃ガードの前方先端にブレードの円周と平行に一定の形状の突起を配置し、鋸刃ガードとともにブレードの周囲を平行に回転させることにより、ブレードを保護しつつ、キックバックの大幅な減少、又は、防止を提供することにある。
【課題を解決するための手段】
【０００９】
本発明に係る鋸刃ガードは、前面先端に、鋸刃に沿ってひれ状の突起、又は、板を配していることを特徴とする鋸刃ガードである。円盤状ブレードの周囲を、ブレードの回転とは独立して回転する、ブレードと同軸の鋸刃ガード（図１及び図２の２）において、先端にブレードと同等の厚みの板状、又はひれ状の突起物（図１及び図２の１）を配す。切断底面（図１及び図２の３）に沿って材料をスライドさせると、図２に示すように、材料切断時に、この鋸刃ガード先端の薄いひれ状の突起物（図２の１）が切断溝に入り込む。これにより、回転中のブレードによって発生する気流が、薄い突起物によって反射され、切断溝に吹き込む。この切断溝に吹き込んだ気流が、キックバックの大きな原因の一つである切りくずを吹き飛ばし、切断材料とブレードとの間に極めて薄い間隙を形成する。これにより、切断材料と回転するブレードとの摩擦によって生じるキックバックが低減、又は、除去される。
【発明の効果】
【００１０】
本発明においては、ブレードと同等の厚み先端部分が切断溝に入り込むことにより、キックバックを防止、又は、低減させることができる。通常の丸ノコ、又は、テーブルソー等と使用上の相違はなく、また、キックバックを防止する突起物は図よりも小さなものでも効果を発揮するため、極めて簡単な工程と普及により、市販の丸ノコ等の安全性を飛躍的に高めることができる。一般的な丸ノコに装備されている鋸刃ガードの先端に、本発明に基づくキックバック防止アタッチメントとして取り付けることも可能である。また、回転式砥石を用いるグラインダー、ディスクグラインダー等への幅広い応用も可能である。
【図面の簡単な説明】
【００１１】
【図１】本発明に係る鋸刃ガードの装着時の見取り図である。
【図２】本発明に係る鋸刃ガードの切断中の位置を示した見取り図である。
【図３】本発明に係る鋸刃ガードの側面図である。
【発明を実施するための形態】
【００１２】
図２は本発明に係る鋸刃ガードの実施例を示す。公知の丸ノコ、又は、テーブルソーと同様に、切断する材料を前方から後方へと移動させることにより、又は、ノコギリ本体を後方から前方へと移動させることにより、材料を切断する。その際、自動的に本発明に係る鋸刃ガードの先端部の突起が切断溝に入り込むことにより、キックバックを防止、又は、減少させる。一般的な電動式丸ノコ、又は、テーブルソーと使用上の相違はない。
【符号の説明】
【００１３】
１           キックバックを防止するひれ状、又は板状の突起物
２           鋸刃ガード
３           切断底面
【図１】
2020131307.tif 000003
【図２】
2020131307.tif 000004
【図３】
2020131307.tif 000005
(57)【要約】      （修正有）【課題】簡単な釣り仕掛けで、使い勝手を良くし、浮子釣り、ツアー釣り兼用の自然な状態で魚が餌に食いつきやすくした仕掛けを提供する。【解決手段】ジグ（疑似餌）１を母体として側面に９０度間隔２か所に通孔を作り、対角に強靭でしなやかな材質の釣り用ワイヤ２を２本それぞれ通孔に通し水平にジグ（疑似餌）１中央でクロスさせ固定、両端に輪状を作り、長さを均等にバランスを図り複数の釣り針を取り付けるようにセットした十文字釣り仕掛け。【選択図】図１
2020000217.tif 000002
【特許請求の範囲】
【請求項１】
ジグ（疑似餌）を母体とし、側面に９０度間隔２ヶ所の通孔を作り、強靭でしなやかな釣り用ワイヤ２本を対角に水平方向にクロスさせ、ジグ（疑似餌）の中央で固定させる。ワイヤ両端に輪状を作り、複数の釣り針を取り付けるようにセットした効率的で機能性に富んだ十文字釣り仕掛け。
【請求項２】
前記、ジグ（疑似餌）中央中心よりワイヤの長さをそれぞれ均等にバランスを図る。また、ワイヤ輪状にハリス、釣り針を取り付ける際は、釣り針を水平に維持できるようハリスにチチワを作り、ワイヤ輪状の上でスライドさせるようにセットする。
からみ防止のためハリス釣り針の長さはジグ（疑似餌）中央中心からのワイヤの長さと同一とする。更に、釣り針を水中で水平浮遊状態を維持することを目的としハリスのチチワとチチワの結び目によりテコの原理を応用、自然な状態で魚が餌に食いつきやすく、従来の釣り針の取り付けを垂直方向から水平方向への取り付けを可能にした釣り仕掛け。
【請求項３】
前記、釣り針を毛ばり等に付け替え、また、餌を疑似餌等に取り替えることにより、浮き釣り、ルアー釣りとして使い分けができ、更に同時使用も可能にした効率的な釣り仕掛け。
【請求項４】
前記、母体のジグ（疑似餌）下部の輪状には対象の魚種に合わせた本仕掛け用、または、連結可能とした機能的な釣り仕掛け。
【発明の詳細な説明】
【技術分野】
【技術分野】
【０００１】  本発明は母体となるジグ（疑似餌）に複数の釣り針を水平方向に取り付けるようにし、従来の垂直方向から水平方向へと釣り針の取り付けを可能にし、常識を覆した釣り仕掛けに関するものである。
【背景技術】
【０００２】  従来の釣り仕掛けの基本は釣り針を垂直方向に並べたものとしていた。また、浮き釣りとルアー釣りを兼用とした効率的な釣り仕掛けがない。
【発明の概要】
【発明が解決しようとする課題】
【０００３】  簡単な釣り仕掛けで使い勝ってを良くし、浮き釣り、ルアー釣り兼用とした釣り仕掛けを目的としている。また、ハリス、釣り針を水平方向に取り付け可能にし、水中で水平浮遊状態を維持、自然な状態で魚が餌等に食いつきやすくした釣り仕掛け。
【課題を解決するための手段】
【０００４】  ジグ（疑似餌）（１）の側面に９０度間隔２か所に通孔を作り対角に強靭でしなやかな材質の釣り用ワイヤ２本（２）を水平に通しジグ（疑似餌）中央でクロス（４）させ十字状として固定、各両端に輪状（３）を作り、複数の釣り針（５）を取り付けるようにした十文字釣り仕掛け。また、ハリス（７）、釣り針（５）を取り付ける際はハリスにチチワ（６）を作り、ワイヤ輪状の上でスライドさせるようにセットする。ハリスのチチワとチチワの結び目を活用することでテコの原理を応用、釣り針が水中で水平浮遊状態を維持することができる。
【発明の効果】
【０００５】  多種多様な魚種に対応でき、機能性に富んだ釣り仕掛けとして使用できる。また、釣り針に疑似餌、毛ばり等に付け替えることにより浮き釣りとルアー釣り兼用とした釣り仕掛けにもなる。従来の釣り仕掛けは釣り針を垂直方向に並べたものが常識とされているが、当該仕掛けは水平方向に釣り針を取り付け、水中で餌等が水平浮遊状態となり自然な状態で魚が食い付きやすくし、従来の垂直方向の常識を覆した釣り仕掛けである。
【発明を実施するための形態】
【０００６】  以下、本発明の実施の形態について説明する。
（イ）ジグ（疑似餌）（１）側面に９０度間隔２か所に通孔（１１）を作り、強靭でしなやかな釣り用ワイヤ２本（２）を水平にジグ（疑似餌）中央でクロス（４）させ十字状として固定、両端に輪状（３）を作り、複数の釣り針（５）を取り付けるようにセットする。
（ロ）前記の水平方向のワイヤ２本（２）を固定させる際、ジグ（疑似餌）（１）中央中心よりワイヤの長さをそれぞれ均等に、９０度間隔にバランスを図る。
（ハ）前記のワイヤ輪状（３）にハリス釣り針を取り付ける際は、ハリスにチチワ（６）を作り、ワイヤ輪状（３）の上でスライドさせるようにセットする。ハリスのチチワとチチワの結び目でテコの原理を応用、釣り針（５）が水中で水平浮遊状態を維持することができ、自然な状態で魚が餌に食いつきやすくする。
【図面の簡単な説明】
【０００７】
【図１】  本発明の組み立て図である。
【図２】  本発明の斜視図である。
【図３】  本発明の要部断面図である。
【符号の説明】
【０００８】  １．ジグ（疑似餌）
２．ワイヤ
３．輪状
４．クロス部
５．釣り針
６．ハリスチチワ部
７．ハリス
８．下針（本仕掛け）
９．道糸
１０．クロス拡大
１１．通孔
１２．熱収縮パイプ
【図１】
2020000217.tif 000003
【図２】
2020000217.tif 000004
【図３】
2020000217.tif 000005
(57)【要約】      （修正有）【課題】国産有機生きくらげ、国産有機オリーブ油、国産有機えごま油、中鎖脂肪酸の高い栄養成分が同時摂取可能な食品の提供。【解決手段】国産有機生きくらげの栄養成分をオリーブ油にて抽出し、国産有機えごま油や中鎖脂肪酸と配合した栄養補助食品。【選択図】なし【特許請求の範囲】
【請求項１】
特殊製法した国産有機生きくらげ粉を国産有機オリーブ油に入れ加熱処理後
に濾過させ、国産有機えごま油、中鎖脂肪酸と配合する工程。
【発明の詳細な説明】
【技術分野】
【０００１】
幾多の栄養補助食品が市販されているが、それらが、ほぼ単一成分で構成さ
れており、いいものを摂取するために消費者は、複数の栄養補助食品を買い求
めることになる。複数の健康増進作用を有する食材を一回で摂取できれば、経
済的にも効果がある。
【特許文献１】特開平６−１５３８７９
【発明の開示】
【発明が解決しようとする課題】
【０００２】
同時摂取しにくい３種の油（オリーブ油、えごま油、中鎖脂肪酸）と、抗が
ん作用・糖尿病予防・抗うつ効果などをもつ生きくらげの高い栄養成分が同時
に摂取できれば、複数の有効成分をもつ栄養補助食品ができる。
【発明の効果】
【０００３】
有機国産生きくらげ由来の特殊製法した粉末の栄養成分を国産有機オリーブ
油にて抽出し、さらに国産有機えごま油、中鎖脂肪酸と配合させることで、同
時に摂取できるというものである。身体によい油と現代人が不足気味な栄養素
を同時摂取することにより、吸収力が増し、現代病（高血圧症、糖尿病、うつ
病、がんなど）の改善へと導くので、発明の効果は絶大である。
(57)【要約】      （修正有）【課題】少子高齢化・生産人口減少といわれる昨今において、全世代の健康を促進するための新しい食品加工技術の提供。及び、前記技術により製造する、若者の体力低下、忍耐力低下、意欲低下、晩婚化など、少子化傾向を解決するための、また、元気で未病な状態で、あらゆる能力を活性化することができる、食べやすく飽きない第３の主食にもなりうる食品の提供。【解決手段】納豆、中鎖脂肪酸、イミダペプチドを配合した加工食品技術と前記技術により製造する食品。【選択図】なし【特許請求の範囲】
【請求項１】
納豆、中鎖脂肪酸とイミダペプチドを配合して、食品を加工する工程。
【発明の詳細な説明】
【技術分野】
【０００１】
健康ブームといわれ、健康食品も相当に氾濫しているが、真に長寿、未病を
ざし、健康増強に至る食品は、ほんの一握りである。
【特許文献１】なし。
【発明の開示】
【発明が解決しようとする課題】
【０００２】
少子高齢化・生産人口減少による日本人の生産能力の低下を防ぐため、若者
の健康増強、そして、６０歳以上高齢者がより元気に働ける健康づくりを目的
とした新しい食品の開発、その加工技術が必要である。
【発明の効果】
【０００３】
納豆、中鎖脂肪酸、イミダペプチドは、どれも、健康長寿におおきく寄与す
る食品であり、これらを配合した加工食品で、健康が促進され、全世代にわた
り、活力増強が期待できる。
(57)【要約】【課題】  中年になりお腹が出てくると、体を動かすと、いつの間にかチャックが開き、ズボンのチャックが全開となり、恥ずかしい思いをする。また、いつの間にかチャックが開いているのではないかと気になる。本発明は、チャックずり落ち防止具を提供する。【解決手段】  排尿を済ました後、チャックを上げ、チャックに取り付けた鉄と、ズボンに取り付けた磁石が、磁力で吸着保持するチャックずり落ち防止具。チャックを閉めた後、チャックを磁石の付近まで導くと磁石の引力で吸着する。また、急に尿意をもよおしたり、トイレに間に合わず、あわてたときも、簡単に外れる。【選択図】図１
2020000815.tif 000002
【特許請求の範囲】
【請求項１】
チャックのつまむ所に磁力に作用するものを取り付け、ズボンにもチャックを閉めた状態で吸着保持出来る適当な位置に、磁力に作用するものを取り付ける。
【発明の詳細な説明】
【技術分野】
【０００１】本発明は、知らぬ間にチャックが開いてしまうのを防止する。
【背景技術】
【０００２】従来、閉めたはずのズボンのチャックがいつの間にか開いていることがあった。
【先行技術文献】
【特許文献】
【０００３】
【特許文献１】実登３０６４８７９
【特許文献２】実開平０５−０５６９０８
【特許文献３】実開昭６０−００１３１２
【特許文献４】実開昭５６−１０６６１４
【発明の概要】
【発明が解決しようとする課題】
【０００４】知らぬ間にズボンのチャックが開いてしまうのを防止する。
本発明は、以上の問題点を解決するためになされたものである。
【課題を解決するための手段】
【０００５】ズボンのチャックの上下する部分に磁力に作用するものを取り付け、ズボンのチャックを閉めた時に適当となる部分のズボンにも磁力に作用するものを取り付け、磁力によって保持する。
【発明の効果】
【０００６】ズボンのチャックが、知らぬ間に開口しない。
【図面の簡単な説明】
【０００７】
【図１】本発明の斜視図
【図２】本発明の使用状態を示す斜視図
【図３】本発明の磁石の平面図
【図４】［図３］のＡ−Ａ断面の断面図
【図５】本発明のチャックの平面図
【図６】［図５］のＢ−Ｂ断面の断面図
【発明を実施するための形態】
【０００８】以下、本発明の実施の形態を説明する。
（イ）チャックを上げて閉める。
（ロ）チャックを閉めた状態でチャックの上下する部材をズボンに取り付けてある磁石に      作用する部材に吸着させる。
本発明は、以上のような構造である。
【符号の説明】
【０００９】１チャック、２ズボン、３ベルト、４磁石、５鉄、６フック（オス）、７フック（メス）、８磁石保持部材、９被覆
【図１】
2020000815.tif 000003
【図２】
2020000815.tif 000004
【図３】
2020000815.tif 000005
【図４】
2020000815.tif 000006
【図５】
2020000815.tif 000007
【図６】
2020000815.tif 000008
(57)【要約】【課題】本発明は、容易に脱着の出来る押圧部や突起部によって手技によってマッサージができるものであって、頭部や肩に対してツボを刺激し、血行をよくする等のマッサージ効果を備えた着脱式ツボ押しマッサージ器具及びその使用方法を提供するものである。【解決手段】本発明に係る着脱式ツボ押しマッサージ器具は複数の穴の開いた１に、様々な形状をした押圧部や突起部２を装着する着脱式ツボ押しマッサージ器であって、１の穴に使用者のツボに適した場所に２を着脱することによって自由度の高いマッサージが出来るものである。その全体又は一部がシリコン樹脂又はウレタン樹脂により構成されたものである。【選択図】図１
2020000816.tif 000002
【特許請求の範囲】
【請求項１】
使用者のツボの位置に合わせて押圧部や突起部を脱着し変更できる事を特徴とするマッサージ器具。その全体又は一部がシリコン樹脂又はウレタン樹脂により構成されたものである。
【請求項２】
請求項１の構造を特徴とするマッサージ器具を用いての施術行為
【請求項３】
使用者のツボの位置に合わせて（図１）へ押圧部や突起部（図２）を脱着し変更でき手技によってツボへ押し当てるマッサージ器具。その全体又は一部がシリコン樹脂又はウレタン樹脂により構成されたものである。
図２の押圧部や突起部は様々な形態をもつことができる。
【発明の詳細な説明】
【技術分野】
【０００１】    この発明は頭部や肩等のツボを押すマッサージ器具に関する。
【背景技術】
【０００２】    従来のツボ押しマッサージ器具は、固定された押圧部や突起部によって人体のツボを押圧し物理治療をするものである。
【発明の概要】
【発明が解決しようとする課題】
【０００３】    しかしながら以上の技術によれば、押圧部が固定されている事により、使用者の体形や年齢、性別や症状によって的確にツボを押圧できていなかった。
そこで、この発明はツボの位置に合わせて押圧部や突起部を変更できる事を課題とする。
【課題を解決するための手段】
【０００４】    以上の課題を解決するために、柔軟に曲げる事の出来る１に複数の穴を開けそこに押圧部２を着脱できるマッサージ器具である。
【図面の簡単な説明】
【０００５】
【図１】複数の穴の開いた１と１へ装着する押圧部２である。
【０００６】
【図２】複数の穴の開いた１へ押圧部２を装着した図である。
【０００７】
【図３】複数の穴の開いた１へ押圧部２を装着し使用者の体に合わせて手技によって曲げた斜視図である。
【０００８】
【図４】この発明の一実施形態を示す斜視図である。
【発明を実施するための形態】
【０００９】    この発明の一実施形態を図２に示す。全体又は一部がシリコン樹脂又はウレタン樹脂により構成されたものであり、１へ２を使用者のツボにあわせ着脱できるものである。
【実施例】
【００１０】    この発明の一実施例を図４に示す。全体又は一部がシリコン樹脂又はウレタン樹脂により構成されたものであり、１へ２を使用者のツボにあわせ着脱し、手技によって自由に曲げる事が出来る、また押し当てる事で使用者に適したマッサージができるものである。
【図１】
2020000816.tif 000003
【図２】
2020000816.tif 000004
【図３】
2020000816.tif 000005
【図４】
2020000816.tif 000006
(57)【要約】      （修正有）【課題】高効率、低振動の内燃機関を提供する。【解決手段】回転ピストン３は、シリンダー内を往復し、それに直結するガイドローラ及びシリンダに形成されたガイドウェイによってピストン自体を回転させ、この回転力を出力軸１０に伝達して動力源にする。給排気弁も伝達装置から回転方式とし、その給排気機構を中心に対称的ににこれらの構造を設けてバランスを取り、これらの機構を伝達装置によって連結して一構造とする内燃機関である。【選択図】図１
2020094578.tif 000002
【特許請求の範囲】
【請求項１】
往復するピストンに回転力を発生させる構造を設け、ピストンに回転力を生じさせてその回転力を出力に利用し、機構全体のバランスを取るため給排気構造を中心として対称的にこのピストンと回転力を生じさせる機構を配置する回転式ピストン型内燃機関。
【発明の詳細な説明】
【技術分野】
【０００１】  本発明は、振動の少ない高効率の内燃機関に関するものである。
【背景技術】
【０００２】  従来の単純往復ピストン式内燃機関は、往復運動機構が慣性運動を阻害する為、熱エネルギーを無駄にする部分があることと、振動の大きい内燃機関であった。
【発明の開示】
【０００３】  そのために、次のような問題点があった。
（イ）単純往復ピストンは、発生したエネルギーを上死点と下死点で消費している。
（ロ）各往復弁機構も発生したエネルギーを上下運動で消費している。
（ハ）単純往復ピストンのバランスをとるためにクランク軸を中心としたバランサを設けているが、確実に平衡が取れていない。
（ニ）単純往復ピストンは、ピストンがシリンダー内でふらつき、摩擦ロスが発生する。
本発明は、これらの問題点を解決するためになされたものである。
【課題を解決するための手段】
【０００４】  ピストンは、シリンダー内を往復するが、それに直結するガイドによってピストン自体が回転する機構から上死点と下死点までの慣性を回転力に生かす。この回転力を動力原にする。給排気弁も伝達装置から回転方式とし、その給排気機構を中心に対称的に回転式ピストン機構を設けバランスを取る。これらの機構を伝達装置によって連結して一構造とする内燃機関である。
【発明の効果】
【０００５】  コンパクトで機械損失が少なく、単気筒でも振動の少ない内燃機関である。
【発明を実施するための最良の形態】
【０００６】    以下、本発明の実施形態について説明する。
（イ）  ピストン回転構造（５）を設けた回転ピストン（３）と往復回転から固定回転への変換機構（６）を有する構造体より出力軸（１０）を設ける。
（ロ）  出力軸（１０）から連接歯車（７）、連接軸（８）等を介して回転弁（４）を駆動する機構を設ける。
（ハ）  回転弁（４）を中心として対照的に（イ）と（ロ）の構造体を設ける。
本発明は以上のような構成になっている。これを使用するときは、外部動力によって始動すると回転ピストン（３）はピストン回転機構（５）から往復運動と共に回転もして吸気、圧縮。燃焼により回転力を与えられ、往復回転から固定回転への変換機構（６）を介して出力軸（１０）に動力を伝達することができる。
本発明の使用形態は、ピストン回転機構（５）の形態と形状の変更、回転弁（４）の機構の変更によって利用状況に合わせた機関を供給することができる。
【図面の簡単な説明】
【０００７】
【図１】  本発明の基本構成図
【符号の説明】
【０００８】  １  吸気管
２  燃焼室
３  回転ピストン
４  回転弁
５  ピストン回転機構
６  往復回転から固定回転への変換機構
７  連接歯車
８  連接軸
９  排気管
１０  出力軸
１１  左側へ回転弁を対称に右の機構を設ける
【図１】
2020094578.tif 000003
(57)【要約】【課題】  マスクの用途は多様化しており、口元だけを塞げば用が足りる場合でも、鼻まで塞いでしまっているので、鼻呼吸しづらかったり、臭いが嗅ぎづらかった。本発明は鼻呼吸しやすいマスクを提供する。【解決手段】  耳掛け紐を口側当接片の上端縁に結合させることで口を密封し、マスクの鼻側当接片と口側当接片の境目を開口させることを特徴とする鼻呼吸しやすいマスク。【選択図】図１
2020094315.tif 000002
【特許請求の範囲】
【請求項１】
マスクの鼻側当接片と口側当接片との境目において、左右端近くまでスリットのように開口されて開口部を成し、鼻側当接片の下端縁が口側当接片の上端縁に少し被さる形となっており、口側当接片の上端縁左右端近く、即ち開口部左右から少し内側に入った地点において、鼻側当接片の通し孔から出た耳掛け紐端に結合してある形になっていることを特徴とする鼻呼吸しやすいマスク。
【発明の詳細な説明】
【技術分野】
【０００１】  本発明は、マスクをかけた時に鼻呼吸が楽にできる鼻呼吸しやすいマスクに関するものである。
【背景技術】
【０００２】  従来のマスクはウィルスや花粉対策を主な目的としたもので、別の用途を目的とするものは無かった。
【発明の概要】
【発明が解決しようとする課題】
【０００３】  マスクの用途は多様化しており、女性の素っぴん顔を隠す為のだてマスク、就寝中の口の渇き防止、口臭対策、冬の寒さ対策、つばや咳の拡散防止等、これらの用途では口元だけを塞げば用が足りるが、鼻まで塞いでしまい鼻呼吸しにくい。また食品関連の仕事で使用する場合、従来のマスクでは、つばは拡散しないが臭いが嗅ぎづらい。それでは口元だけを塞ぐマスクではどうかというと、見た目が陳腐である。
本発明は以上の問題点を解決するものである。
【課題を解決するための手段】
【０００４】  マスクの鼻側当接片と口側当接片との境目において、左右端近くまでスリットのように開口されて開口部を成し、鼻側当接片の下端縁が口側当接片の上端縁に少し被さる形となっており、口側当接片の上端縁左右端近く、即ち開口部左右から少し内側に入った地点において、鼻側当接片の通し孔から出た耳掛け紐端に結合してある。
【発明の効果】
【０００５】  従来のマスクでは口だけ塞げば用が足りる場合でも鼻まで塞がれ鼻呼吸しづらく、長時間の使用では息苦しくなっていた。また食品関連従事で使用する場合は臭いが嗅ぎづらかった。
本発明は、口元は密封されているが、鼻呼吸しやすく臭いがかぎやすくなっている。
【図面の簡単な説明】
【０００６】
【図１】本発明の正面図
【図２】本発明の背面図
【図３】本発明の側面図
【発明を実施するための形態】
【０００７】  マスクの鼻側当接片（１）と口側当接片（２）との境目において、左右端近くまでスリットのように開口されて開口部（４）を成し、鼻側当接片（１）の下端縁が口側当接片（２）の上端縁に少し被さる形となっており、口側当接片（２）の上端縁左右端近く、即ち開口部左右から少し内側に入った地点において、鼻側当接片（１）の通し孔から出た耳掛け紐（３）端に結合してある。
本発明は以上のような構成であり、以下その具体的な使用法を説明する。
耳掛け紐（３）が口側当接片（２）の上端縁をひっぱることにより口の上部が密封され、開口部（４）がより開くことにより、鼻呼吸しやすく、臭いが嗅ぎやすい。鼻側当接片（１）の下端縁が口側当接片（２）の上縁に被さることにより、見た目が従来のマスクと相違ない。
【符号の説明】
【０００８】  １  鼻側当接片
２  口側当接片
３  耳掛け紐
４  開口部
【図１】
2020094315.tif 000003
【図２】
2020094315.tif 000004
【図３】
2020094315.tif 000005
(57)【要約】      （修正有）【課題】家屋の如何なる部分も傷付ける事無くよしず、または、すだれを設置できるよしずとすだれの台を提供する。【解決手段】およそ２メートルの柱、およそ２メートルの鴨居、台座、およそ２メートルの受け台の４部品で構成する。鴨居の高さはすだれ、よしずのサイズに合わせ、市販の金具で高さを調整する。台座は柱を支える程度重たくし、家屋の額縁を邪魔せぬ様設置する。受け台はよしずを広げた状態で、一直線に保つ為に使用する。【選択図】図１
2020108732.tif 000002
【特許請求の範囲】
【請求項１】
よしずかすだれを立て掛ける専用台であり、受け土台でよしずを一直線に保ち、前後に移動する事で角度調整する事を特徴とする。
【発明の詳細な説明】
【技術分野】
【０００１】本台は家屋の如何なる部分も傷付ける事無くよしず、すだれを設置する。
【背景技術】
【０００２】よしずを立てる台は無く、地面もしくは床へ直によしずを設置。すだれを設置する場合、金具を固定する為、家屋に釘やビスで穴をあけていた。また、よしずは風に吹かれて倒れやすかった。
【先行技術文献】
【特許文献】
【０００３】
【特許文献１】なし
【発明の概要】
柱おおよそ２メートル、鴨居おおよそ２メートル、台座、受け台おおよそ２メートルの４部品で構成する。鴨居の高さはすだれ、よしずのサイズに合わせ、市販の金具で高さを調整。台座は柱を支える程度重たくし、家屋の額縁を邪魔せぬ様設置。受け台はよしずを広げた状態で、一直線に保つ為に使用。
【発明が解決しようとする課題】
【０００４】よしずを設置する場合、波打つ様な見た目が見苦しかった。すだれを設置する場合、家屋の鴨居、もしくは高い位置に金具を取り付ける為、主に鴨居を傷付ける。賃貸物件も持家も避けたい行為である。庭や人目に付く場所に目隠しが必要な時、壁が無い所にはよしずもすだれも設置出来ない。
【課題を解決するための手段】
【０００５】鴨居と壁の代わりをする。移動出来る。設置場所を選ばない。
【発明の効果】
【０００６】洗濯物や見せたくない所に目隠し出来る。家屋を傷付けない。
【図面の簡単な説明】
【０００７】
【図１】正面図、側面図。
【図２】柱を支えれば良いので土台の形は例。設置場所に応じて対応。
【発明を実施するための形態】
【０００８】土台のほぞ穴に約５ｃｍ角の柱を立てる。柱に約５ｃｍ角の鴨居を市販金具で固定。よしずは受け台に広げて乗せ、本台鴨居に立て掛ける。すだれは鴨居に市販のフックで吊るす。
【図１】
2020108732.tif 000003
【図２】
2020108732.tif 000004
(57)【要約】【課題】  従来のヤスリには、削る対象物を固定する機能は無く、削る際に、手が滑って怪我をしたり、削りたい部分だけを削れなかった。それを防止するための機能が付いた、ヤスリ用滑り止め固定器具を提供する。【解決手段】  レールと固定器具が付いており、左右どちらの手でも使えるように台座に回転機能を付け、普通のヤスリに取り付けられることを特徴とする。【選択図】図１
2020108784.tif 000002
【特許請求の範囲】
【請求項１】
普通のヤスリでも器具を付けられる。
【請求項２】
滑り止め器具に削る対象物を固定する台座がある。
【請求項３】
滑り止め器具が車輪とレールに沿って動く機能がある。
【請求項４】
滑り止め器具の台座に回転機能を設けた。
【発明の詳細な説明】
【技術分野】
【０００１】  この発明はヤスリ用滑り止め固定器具に関するものである。
【背景技術】
【０００２】  従来、ヤスリに取り付けられる滑り止め固定器具は無かった。
【発明の開示】
【発明が解決しようとする課題】
【０００３】  これは次のような問題点があった。
従来、販売されているヤスリには、削る対象物をヤスリ側に固定するものは無く、ヤスリが削る対象物から滑った場合、ヤスリを持つ手が削る対象物に当たったり、削る対象物を持つ手が、ヤスリに当たったりするなど怪我をする可能性があった。また、ヤスリは滑りやすいので、うまく対象物の削りたい部分だけを削れないこともあった。
本発明は、以下の欠点をなくすためになされたものである。
【課題を解決するための手段】
【０００４】  削る対象物を、ヤスリに固定する機能がある器具である。
【発明の効果】
【０００５】  固定器具をヤスリに取り付けることにより、削る対象物を台座に固定しながらヤスリを動かすことによって、ヤスリが削る対象物から滑ることなく削ることができる。これにより、手が滑って怪我をすることもなく、削りたい部分を正確に削れるようになった。さらに、左右どちらの手でも使えるように、台座に回転機能を設けた。
又、普通のヤスリにも、用途に応じて固定器具を取り付けたり、外したりできるようになった。
【発明を実施するための最良の選択】
【０００６】  以下、本発明の実施の形態について説明する。
（イ）可動部（１）の回転軸（２）に台座（３）を取り付ける・
（ロ）レール（４）を可動部（１）の中の車輪（５）で挟み込む。
（ハ）レール（４）の両端の挟み器具（６）で、レール（４）とヤスリ（７）を挟んで、ボルト（８）を締めて固定する。
（ニ）台座（３）に削る対象物（９）を乗せてヤスリ（７）を動かすことで、ヤスリ（７）が削る対象物（９）から滑らずに削ることができる。
【図面の簡単な説明】
【０００７】
【図１】本発明の斜視図である。
【図２】本発明の可動部の内部透過図である。
【図３】本発明の可動部の内部透過の側面図である。
【図４】本発明のレールの側面図である。
【図５】本発明の正面図である。
【図６】本発明の背面図である。
【図７】本発明の左側面図である。
【図８】本発明の右側面図である。
【図９】本発明の実施例を示す斜視図である。
【符号の説明】
【０００８】１  可動部
２  回転軸
３  台座
４  レール
５  車輪
６  挟み器具
７  ヤスリ
８  ボルト
９  削る対象物
【図１】
2020108784.tif 000003
【図２】
2020108784.tif 000004
【図３】
2020108784.tif 000005
【図４】
2020108784.tif 000006
【図５】
2020108784.tif 000007
【図６】
2020108784.tif 000008
【図７】
2020108784.tif 000009
【図８】
2020108784.tif 000010
【図９】
2020108784.tif 000011
(57)【要約】      （修正有）【課題】従来のスーパーマーケット等の食品売り場にて設置してあるレジ籠に設置でき使用時の重さによって形態を変えられるエコバッグ及び日常鞄を提供する。【解決手段】従来のレジ籠に設置できるエコバッグに着脱式手持ち部ベルトストラップ１０１、着脱式肩掛けベルトストラップ１０２、着脱式背負い型ベルトストラップ着脱式のベルト・ストラップ１０３が取り外しでき固定されることで簡易的にリュック型の背負い鞄と肩掛け鞄、手下げ鞄と、使用者はエコバッグの中身の重さや使用状況においてエコバッグの形態を複数変え使用することができる。また本発明の両端着脱式の形態は、日常的な鞄にも同様に利用する事ができる。【選択図】図１
2020108721.tif 000002
【特許請求の範囲】
【請求項１】
スーパーマーケット等の食品売り場において設置されている買い物籠に設置できる構造であり、着脱式のストラップベルトを取り付けることにより形態を変えることが可能な保冷防水性質を持つエコバッグ及び鞄
【請求項２】
着脱式の両端側が金属製、化学樹脂を用途するストラップベルトを取り付けることにより形態を変えることが可能なバッグ及び鞄
【請求項３】
折り畳みウエストポーチなどに収納できコンパクトに携帯できる付属型、一体型の請求項１、請求項２のエコバッグ・鞄
【発明の詳細な説明】
【技術分野】
【０００１】本発明は使用者の使用状況によって着脱式の付属部を取り付けたベルトストラップにより形態を変えられるエコバッグ及び鞄を提供する
【背景技術】
【０００２】従来のスーパーマーケット等のかごに設置できるエコバッグは手持ち式、リュック式などのエコバッグが存在し、また日常生活等に利用される鞄にも多くのファッション性に富んだ多種多様な利用目的とした形態が存在する
【発明の概要】
【発明が解決しようとする課題】
【０００３】しかし、リュック式と手提げ式の両機能を備えたエコバッグ又は鞄等はリュックのショルダーストラップが使用しない場合邪魔になるなどの欠点があった。また日常生活等に使用する鞄のショルダーストラップ部、手持ち部、ウエストベルト部等において両端が着脱式の形態を変えられる鞄等は今日まで存在しなかった
【課題を解決するための手段】
【０００４】エコバッグ又は鞄のショルダーストラップや持ち手等を取り外しができる両端着脱式の樹脂製、金属製付属具を使用し設置することで上記課題を解決する
【発明の効果】
【０００５】本発明の着脱式ストラップエコバッグ及び鞄を使用すると使用者は手持ち型、リュック型、肩掛け型等に形態を変えることができ、不必要なストラップ等は取り外すことができるので、邪魔になる事がないという利点を使用者に提供することができる【０００６】また、不必要な場合等であっても使用者はウエストバッグとして折り畳み収納し備える事ができ、本発明のエコバッグ、鞄、リュックサック等がウエストポーチ一体型となりえる事で移動時において使用者はコンパクトに携帯できる【０００７】本記載の着脱式付属部は、多種多様な着脱形態が可能であり、ファッション性、実用性、強度性、様々な趣向の着脱式付属部を使用する事で多種多様なバッグ及び鞄、背負い袋等を提供する事ができる
【発明を実施するための形態】
【０００８】図１は本発明をエコバッグに利用した第一実施例のＡベルトストラップ着脱式巾着型開閉バッグの概要図であり、１０１着脱式手持ち部ベルトストラップ１０２着脱式肩掛けベルトストラップ１０３着脱式背負い型ベルトストラップの着脱ストラップが１着脱式差し込み部と２着脱式差し込み口によって、着脱することで使用者は使用状況によって形態を変化させる事ができ、不必要なストラップ又は持ち手部は取り外し使用する事ができる。図３は、Ｂベルトストラップ着脱式ファスナー開閉型バッグであり３ファスナーで開閉し使用できる形態にした実施例図であるが、ボタン等の開閉状態でも構わない。図２は図１、図３の使用概要図でＡ．Ｂを４レジカゴに設置し商品を入れた実施例図である
【０００９】図４は、実際に使用者が１０１着脱式手持ち部ベルトストラップを使用した１０１ａ着脱式手持ち型バッグの実施使用例図である
【００１０】図５は、実際に使用者が１０２着脱式肩掛けベルトストラップを使用した１０２ａ着脱式肩掛け型バッグの実施使用例図である
【００１１】図６は、実際に使用者が１０３着脱式背負い型ベルトストラップを使用した１０３ａ着脱式リュックサックの実施使用例図である
【００１２】図７は、Ｃベルトストラップ着脱式ウエストバッグに前記載の着脱式バッグの収納形態の状況を説明した概要一例図であり、前記載のバッグはＤバッグ折り畳み前形態の矢印方向に折り曲げ、Ｅバッグ折り畳み後形態によってＣベルトストラップ着脱式ウエストバッグに収納できる。またＣベルトストラップ着脱式ウエストバッグの一例として、１０４着脱式ウエストベルトストラップは取り外し可能であり、２着脱式差し込み口をＣベルトストラップ着脱式ウエストバッグに取り付け、多種多様なエコバッグ、鞄と利用できる
【００１３】前記載の着脱式付属部は、一例であり金属製、樹脂製の着脱付属部の形態は多種多様あるものとする
【図面の簡単な説明】
【００１４】
【図１】本発明のエコバッグ及び鞄の第一実施例図の概要図
【図２】本発明のエコバッグ及び鞄の第一実施例図の使用概要図
【図３】本発明のエコバッグ及び鞄の第二実施例図の概要図
【図４】本発明のエコバッグ及び鞄の実施使用第一例図
【図５】本発明のエコバッグ及び鞄の実施使用第二例図
【図６】本発明のエコバッグ及び鞄の実施使用第三例図
【図７】本発明のエコバッグ及び鞄の収納形態の概要一例図である
【符号の説明】
【００１４】１        着脱式差し込み部
２        着脱式差し込み口
３        ファスナー
４        レジカゴ
１０１    着脱式手持ち部ベルトストラップ
１０１ａ  着脱式手持ち型バッグ
１０２    着脱式肩掛けベルトストラップ
１０２ａ  着脱式肩掛け型バッグ
１０３    着脱式背負い型ベルトストラップ
１０３ａ  着脱式リュックサック
１０４    着脱式ウエストベルトストラップ
Ａ        ベルトストラップ着脱式巾着型開閉バッグ
Ｂ        ベルトストラップ着脱式ファスナー開閉型バッグ
Ｃ        ベルトストラップ着脱式ウエストバッグ
Ｄ        バッグ折り畳み前形態
Ｅ        バッグ折り畳み後形態
【図１】
2020108721.tif 000003
【図２】
2020108721.tif 000004
【図３】
2020108721.tif 000005
【図４】
2020108721.tif 000006
【図５】
2020108721.tif 000007
【図６】
2020108721.tif 000008
【図７】
2020108721.tif 000009